(57)【要約】【課題】ＴＤＭＡを用いた通信システムにおいて、フレーム同期を取るためのユニークワードを検出する装置を安価に提供すること。【解決手段】シフトレジスタは、初期値として検出すべきユニークワードのビットパターンの最初に送信されるビットの値と論理否定の関係にある値を最上位ビットの値を持ち、受信したディジタルデータと同期した受信データクロックに同期して受信データをシリアルデータからパラレルデータに変換しパラレル受信データとして出力する。比較器は、シフトレジスタからの出力信号であるパラレル受信データと、受信すべきユニークワードのビットパターンが格納されているユニークワードレジスタからの出力信号である選択ユニークワードデータとのビット比較を行い、パラレル受信データと選択ユニークワードデータとのビットパターンが全て一致する場合にのみユニークワード検出信号を出力する。【選択図】図１
2005269062.tif 000002
【特許請求の範囲】
【請求項１】
ユニークワードが付加されたディジタルデータを受信する受信機において、
受信したデータと同期した受信データクロックに同期して受信データを順次格納するシフトレジスタと、
受信すべきユニークワードのユニークワードビットパターンが格納されているユニークワードレジスタと、
前記シフトレジスタに格納された受信ビットパターンと前記ユニークワードビットパターンとのビット比較を行い、前記受信ビットパターンと前記ユニークワードビットパターンとが一致する場合にのみユニークワード検出信号を出力する比較器とを備え、
前記シフトレジスタは、初期値として前記ユニークワードビットパターンの最初に送信されるビットの値と論理否定の関係にある値を最上位ビットの値として有することを特徴とするユニークワード検出装置。
【請求項２】
ユニークワードが付加されたディジタルデータを受信する受信機において、
受信したデータと同期した受信データクロックに同期して受信データを順次格納するシフトレジスタと、
受信すべきユニークワードのユニークワードビットパターンが格納されているユニークワードレジスタと、
前記シフトレジスタに格納された受信ビットパターンと前記ユニークワードビットパターンとのビット比較を行い、前記ユニークワードビットパターンに対する前記受信ビットパターンの誤りビット数を出力する比較器と、
ユニークワード検出条件として誤り許容数を格納する誤り許容係数レジスタと、
前記パラレル受信データの最上位ビットと、前記誤りビット数と、前記誤り許容係数レジスタに格納された値を入力信号とし、前記パラレル受信データの最上位ビットの値が更新され、かつ、前記誤りビット数が前記誤り許容係数レジスタに格納された値以下の時、ユニークワードを検出したと判定しユニークワード検出信号を出力するユニークワード判定部とを有することを特徴とするユニークワード検出装置。
【請求項３】
前記シフトレジスタは、
その初期値として、検出すべきユニークワードのビットパターンのうち最初に送信されるビットの値と論理否定の関係にある値が最下位ビットに設定され、その他のビットはその最下位ビットとは論理否定の関係にある値が設定されていることを特徴とする請求項２記載のユニークワード検出装置。
【請求項４】
前記ユニークワード判定部は、
前記パラレル受信データの最上位ビット値の更新を検出する手段として、
前記受信データクロックに同期して動作するフリップフロップと、
排他的論理和回路とを備えたことを特徴とする請求項２記載のユニークワード検出装置。
【発明の詳細な説明】
【技術分野】
【０００１】
本発明は、フレーム同期を取るためのユニークワードを検出する機能を備えた受信機において、ユニークワードを検出するための装置に関する。
【背景技術】
【０００２】
ＴＤＭＡ（Ｔｉｍｅ  Ｄｉｖｉｓｉｏｎ  Ｍｕｌｔｉｐｌｅ  Ａｃｃｓｅｃｃ：時分割多元接続）等を用いた通信システム（以下、ＴＤＭＡシステムという）では、システムとしての時間同期や伝送フレームの認識のために、所定のフレーム同期パターン（以下、ユニークワードという）が付加された、フレームが送信機より送出される。一方、受信機では、このユニークワードを用いてシステム同期あるいはフレーム同期を取ることで初めて、受信データを得ることができる。ところが、多数の周波数チャネルを迅速にスキャン選択して通信を行わなければならないシステムに対しては、このユニークワードの検出を出来る限り確実かつ高速に行う必要がある。
【０００３】
従来のユニークワード検出装置は、例えば、特許第３２０１２５７号や特許第３０９９８１１号に記載されているような、窓信号を用いることができない初期の時間同期や伝送フレーム認識ではないが、タイミング的に従属するユニークワードの検出動作を予め規定された一定の時間幅を有する窓信号を用いるものに関して考案されているものが多い。ただ、受信データのビットパターンと検出すべきユニークワードのビットパターンとの相関値の閾値を適当な値に定め、ユニークワードをできるだけ確実に捉えることでは基本的な考えと構成は共通している。図４は、そのような従来のユニークワード検出装置の構成を示したものである。
【０００４】
図４において、ユニークワード検出装置は、シリアル−パラレル変換器４０１（図面上、Ｓ／Ｐ変換器と記す）と、ユニークワード判定部４０２（図面上、ＵＷ判定部と記す）と、ユニークワードレジスタ４０３（図面上、ＵＷレジスタと記す）と、ウィンドウ制御部４０４と、カウンタ４０５と、誤り許容係数レジスタ４０６とを有する。以下、図４の図面を参照しながら、従来のユニークワード検出装置の動作を説明する。
【０００５】
受信データは、シリアル−パラレル変換器４０１に入力されて、ユニークワードレジスタ４０３に格納されたユニークワードと等しいビット幅をもつパラレルデータであるパラレル受信データに変換され、ユニークワード判定部４０２に入力される。ここでシリアル−パラレル変換器４０１はシフトレジスタ等によって構成されている。
【０００６】
ユニークワード判定部４０２では、パラレル受信データのビットパターンと、ユニークワードレジスタ４０３に格納されているユニークワードのビットパターンとの相関を取り、その相関結果が誤り許容係数レジスタ４０６から出力される信号が示す範囲内に入っているか否かを判定する。その判定の結果、上記相関結果が所定の範囲内に入っている場合、ユニークワード判定部４０２はパラレル受信データのビットパターンが検出すべきユニークワードのビットパターンに一致したと判定し、ＵＷ一致信号をウィンドウ制御部４０４に出力する。ウィンドウ制御部４０４では、カウンタ４０５より出力されたユニークワード検出動作の開始を示すＵＷタイミング信号を用いて、所定のタイミング以降にＵＷ一致信号が出力されているか否かを判定する。そしてＵＷ一致信号が、上記ＵＷタイミング信号が示すタイミング以降に出力されている場合、ウィンドウ制御部４０４はユニークワードを検出したと判定しＵＷ検出信号を出力する。なお、ＵＷタイミング信号は、ユニークワードを検出するため受信動作の開始タイミングに同期して設定する。
【０００７】
図５は、カウンタ４０５から出力されるＵＷタイミング信号と、ユニークワード判定部４０２から出力されるＵＷ一致信号と、ウィンドウ制御部４０４から出力されるＵＷ検出信号との関係を模式的に示した図である。図５において、ＵＷタイミング信号が示す所定のタイミングとは、時刻Ｔｕｗ以降の「Ｈレベル」と記した値を保っている期間を指し、ＵＷ一致信号が出力されたタイミング、およびＵＷ検出信号が出力されたタイミングは図５中、↑印で示している。また時刻０は、受信する動作を開始する時刻を示す。
【０００８】
ここで、時刻Ｔｕｗの値について説明する。例えば、移動局が基地局から送信されたユニークワードを検出するためには、そのユニークワードと等しいビット長をもつデータを最低限受信する必要がある。図５においてＴｕｗは、この最小時間を示す時間で、（受信データクロックの１周期の時間）×（検出すべきユニークワードのビット数）なる値である。このＴｕｗが示す時刻以前に検出されたＵＷ一致信号は、明らかにノイズ等の受信データ以外の信号によるものであるので、これをマスクするためにＵＷタイミング信号は設けられている。
【０００９】
上記説明では、別途存在する初期の時間同期に従属して、窓信号に相当するＴｕｗのタイミングを決定する方法としてカウンタが用いられていた。初期の時間同期ないしはフレーム認識に関しては、特許第１８７６１３８号に記載されているような、不要な雑音区間でのユニークワードの誤検出を避けるため、受信信号のレベル検出を用い、Ｔｕｗのタイミングを決定する方法等がある。
【特許文献１】特許第３２０１２５７号
【特許文献２】特許第３０９９８１１号
【特許文献３】特許第１８７６１３８号
【発明の開示】
【発明が解決しようとする課題】
【００１０】
従来のユニークワード検出装置においてＵＷタイミング信号を用いない場合についての問題点を以下に記す。例として、“０１１０  １１１１  ００００  １００１  １００１  １０１０  １１１１  ００００”の３２ビットのビットパターンを有するユニークワード（以下、ユニークワードＵＷ１という）を検出する場合を考える。
【００１１】
ユニークワードレジスタ４０３にはユニークワードＵＷ１のビットパターンが格納され、カウンタ４０５はＴｕｗの時間を数え、Ｔｕｗの時刻になるとＵＷタイミング信号をＨレベルに設定する。
【００１２】
一般に、シリアル−パラレル変換器４０１から出力されるパラレル受信データは、シリアル−パラレル変換器４０１が保持している値により、受信データがシリアル−パラレル変換器４０１に入力されていなくとも受信動作開始とともにある値を出力する。そのパラレル受信データの値が、一例として、オール“０”、つまり、“００００  ００００  ００００  ００００  ００００  ００００  ００００  ００００”なる値であったとする。この状態において、受信を開始した直後の受信データとしてユニークワードＵＷ１と最初の１ビットだけことなる類似した３１ビットの受信データ“１１０  １１１１  ００００  １００１  １００１  １０１０  １１１１  ００００”が順次、シリアル−パラレル変換器４０１に入力されると、シリアル−パラレル変換器４０１には実際は３１ビットのデータしか受信データとして入力されていないにもかかわらず、受信開始時点でのパラレル受信データの値がオール“０”であったために、パラレル受信データはユニークワードＵＷ１と同じ３２ビットの“０１１０  １１１１  ００００  １００１  １００１  １０１０  １１１１  ００００”なる値を取り、ユニークワード判定部４０２ではパラレル受信データのビットパターンとユニークワードＵＷ１のビットパターンとが一致したと判断し、ＵＷ一致信号を出力する。しかし、これは明らかにユニークワード誤検出であるため、これをＵＷ検出信号として出力するのを回避する必要がある。このような現象が起きるのは、検出すべきユニークワードと同じビット数のデータがシリアル−パラレル変換器４０１に入力されるまでの時間、つまり、Ｔｕｗまでの時間である。Ｔｕｗ以降の時間では、シリアル−パラレル変換器４０１から出力されるパラレル受信データのどのビットも受信データより生成された値となるので、上記のような現象が起きることはない。従って、図５に示したような別途存在する初期の時間同期に従属して生成したＵＷタイミング信号を用いることにより、従来のユニークワード検出装置を応用した場合には、Ｔｕｗまでの時間に発生するこのようなユニークワードの誤検出を回避することとなる。
【００１３】
しかしながら、多数の周波数チャネルを迅速にスキャン選択して通信を行わなければならないシステム等において、初期の時間補足あるいはフレーム認識に対し、Ｔｕｗが新たな周波数チャネルでの受信開始動作で決まる場合は、上記のような方法は適用できないので、Ｔｕｗ以降ではあるが近接したユニークワードは見逃す可能性が高くなってしまう。また、窓信号のタイミングが別途準備できるケースであっても、あるいは、受信信号のレベル検出から行う場合、タイミング信号の発生回路あるいはレベル検出回路の余分な回路構成を必要とする問題点があった。
【００１４】
それゆえ本発明の目的は、ユニークワード検出装置において、高速かつ確実な検出を実現し、かつ、従来のユニークワード検出装置より回路規模の小さい装置を実現し、安価なユニークワード検出装置を提供することを目的とする。
【課題を解決するための手段】
【００１５】
上記課題を解決するために、本発明は、以下のような特徴を有する。本発明は、フレーム同期を取るためのユニークワードを検出する機能を備えた受信機において、初期値として検出すべきユニークワードの最初に送信されるビットの値と論理否定の関係にある値を最上位ビットの初期値として保持し、かつ、受信したディジタルデータと同期した受信データクロックに同期して受信データを順次格納するシフトレジスタと、受信すべきユニークワードのビットパターンが格納されているユニークワードレジスタと、シフトレジスタに格納されている受信ビットパターンとユニークワードレジスタに格納されているユニークワードビットパターンとの各ビット比較を行い、受信ビットパターンとユニークワードビットパターンとのビットパターンが全て一致する場合にのみユニークワードを検出したとして、ユニークワード検出信号を出力する比較器とを備えたことを特徴とするユニークワード検出装置である。
【００１６】
また、本発明は、ユニークワードが付加されたディジタルデータを受信する受信機において、受信したディジタルデータと同期した受信データクロックに同期して受信データを順次格納するシフトレジスタと、受信すべきユニークワードのユニークワードビットパターンが格納されているユニークワードレジスタと、シフトレジスタに格納された受信ビットパターンと検出すべきユニークワードのビットパターンとの各ビット比較を行い、ユニークワードビットパターンに対する受信ビットパターンの誤りビット数を出力する比較器と、ユニークワード検出条件としての誤り許容数を格納する誤り許容係数レジスタと、上記シフトレジスタより出力される受信ビットパターンの最上位ビットと上記誤りビット数と上記誤り許容係数レジスタに格納された値とを入力信号とし、ユニークワードの検出条件として、上記受信ビットパターンの最上位ビットの値が更新され、かつ、上記誤りビット数が上記誤り許容係数レジスタに格納された値以下という条件を持つユニークワード判定部とを有することを特徴とするユニークワード検出装置である。
【００１７】
好ましくは、上記シフトレジスタは、その初期値として、検出すべきユニークワードのビットパターンのうち最初に送信されるビットの値と論理否定の関係にある値が最下位ビットに設定され、その他のビットはその最下位ビットの値とは論理否定の関係にある値が設定されていることを特徴とするシフトレジスタである。
【発明の効果】
【００１８】
本発明のユニークワード検出装置によれば、ユニークワードの誤検出を避けるための窓信号を用いることなく高速にユニークワードを検出することが可能となる。そのため、本発明を用いれば、窓信号を生成するためのカウンタやレベル検出器等の回路が不要となり、回路規模の小さい、安価なユニークワード検出装置を提供することができる。
【発明を実施するための最良の形態】
【００１９】
（第１の実施形態）
図１は、本発明の第１の実施形態に係るユニークワード検出装置の構成を示すブロック図である。図１においてユニークワード検出装置は、シフトレジスタ１０１と、比較器１０２と、ユニークワードレジスタ１０３（図面上、ＵＷレジスタと記す）とを備える。
【００２０】
以下、図１と図６の図面を参照しながら、ユニークワードＵＷ１を検出する場合を一例として、本発明のユニークワード検出装置の動作を説明する。なお図６において移動局７０２は、基地局７０１から送信された通信制御フレームデータに含まれたユニークワードＵＷ１を、図１に示した本発明のユニークワード検出装置を用いて検出するものとする。またユニークワードＵＷ１は、基地局７０１より最上位ビットから最下位ビットの順、つまり、“０１１０  １１１１  ００００  １００１  １００１  １０１０  １１１１  ００００”の順に送信されているものとする。
【００２１】
図１において、移動局７０２で受信された受信データは、シフトレジスタ１０１にシリアルデータとして入力される。シフトレジスタ１０１は、入力信号として、この受信データ以外に、シフトレジスタ１０１の初期値を定めるＬＯＡＤ信号、このＬＯＡＤ信号をシフトレジスタ１０１に設定するタイミングを定めるＳＥＴ信号、そして受信データとの同期タイミングを示す受信データクロックが入力されている。シフトレジスタ１０１は、入力された受信データを受信データクロックに同期してｎビット（ｎは１以上の整数で、検出すべきユニークワードのビット数に等しい値を有する）のパラレルデータに変換し、パラレル受信データとして比較器１０２に出力する。ここで、ユニークワードＵＷ１は３２ビットのビット数を有するので、ｎ＝３２である。
【００２２】
このシフトレジスタ１０１は、新しい受信データが入力される度に現在保持している最上位ビットを捨て、残りのｎ−１ビットのデータを上位に１ビットだけシフトすると同時に、最下位ビットの値を新たに入力された受信データの値に更新する。また、シフトレジスタ１０１は、初期値として、ユニークワードＵＷ１の最初に送信されるビットの値と論理否定の関係にある値を最上位ビットに持つ値に設定されている。つまり、ユニークワードＵＷ１を受信する場合、ユニークワードＵＷ１は最上位ビットから最下位ビットの順、つまり、“０１１０  １１１１  ００００  １００１  １００１  １０１０  １１１１  ００００”の順に基地局７０１から送信されるので、シフトレジスタ１０１の初期値は、最上位ビットから最下位ビットの順に２進数表記で“１＊＊＊  ＊＊＊＊  ＊＊＊＊  ＊＊＊＊  ＊＊＊＊  ＊＊＊＊  ＊＊＊＊  ＊＊＊＊”（＊印は、”１”あるいは”０”のいずれかの値を示す）なる値が設定されている。ＬＯＡＤ信号によって定められているこの初期値は、ＳＥＴ信号が有効な期間、受信データにどのような値が入力されていようとも常に、シフトレジスタ１０１の出力値を決定する。図２は、この様子を模式的に示したものである。
【００２３】
図２において、ｍは任意の整数を表し、ｍ番目の受信データがシフトレジスタ１０１に入力されていることを意味し、パラレル受信データの値は、ＳＥＴ信号がＬレベルの値を保持している間は受信データクロックに同期してその値が更新されるが、ＳＥＴ信号がＨレベルの値を保持している間は、受信データクロックに同期してパラレル受信データの値が変化することなく、ＬＯＡＤ信号によって設定された値を保持していることを示している。このＳＥＴ信号は、受信を開始する前には、必ずＨレベルに設定されるものとする。なお、図２では、ＳＥＴ信号の有効期間はＨレベルで定義されているが、図２とは極性を反転させてＬレベルで定義されていても良い。
【００２４】
比較器１０２はシフトレジスタ１０１から出力されたパラレル受信データのビットパターンとユニークワードレジスタ１０３から出力されたユニークワードＵＷ１のビットパターンとの各ビット値を比較し、パラレル受信データのビットパターンとユニークワードＵＷ１のビットパターンとの各ビット値が全て一致した場合、ユニークワードＵＷ１が検出されたものとしてＵＷ検出信号を出力する。
【００２５】
上述のように、シフトレジスタ１０１は初期値として、ユニークワードＵＷ１の最初に送信されるビットの値と論理否定の関係にある値を最上位ビットに持つ値である“１＊＊＊  ＊＊＊＊  ＊＊＊＊  ＊＊＊＊  ＊＊＊＊  ＊＊＊＊  ＊＊＊＊  ＊＊＊＊”の値が設定されている。このため、例えば移動局７０２が受信を開始した直後の受信データとしてユニークワードＵＷ１と最初の１ビットだけ異なる類似した３１ビットの受信データ“１１０  １１１１  ００００  １００１  １００１  １０１０  １１１１  ００００”が順次入力された場合でも、シフトレジスタ１０１の初期値の最上位ビットがユニークワードＵＷ１の最初に送信されるビット値とは異なる値に設定されているので、シフトレジスタ１０１からは“１１１０  １１１１  ００００  １００１  １００１  １０１０  １１１１  ００００”なるパラレル受信データが出力されることとなるので、比較器１０２がＵＷ検出信号を出力することはない。
【００２６】
ユニークワードＵＷ１の検出に本発明のユニークワード検出装置を適用した場合、シフトレジスタ１０１の初期値として“１＊＊＊  ＊＊＊＊  ＊＊＊＊  ＊＊＊＊  ＊＊＊＊  ＊＊＊＊  ＊＊＊＊  ＊＊＊＊”が設定されていた場合とオール”０”が設定されていた場合との間に生じる、時刻Ｔｕｗまでのユニークワードの誤検出の確率の差は、オール”０”に設定した場合の方が“１＊＊＊  ＊＊＊＊  ＊＊＊＊  ＊＊＊＊  ＊＊＊＊  ＊＊＊＊  ＊＊＊＊  ＊＊＊＊”に設定した場合に比べ２倍だけ誤検出する確率が高くなる。より一般的には、受信すべきユニークワードのビットパターンが先頭ビットから末尾に向かって“０”がｋ個（ｋは１≦ｋ≦ｎなるの整数）連続しており、かつ、先頭ビットから順次送信されているとすると、シフトレジスタ１０１の初期値として“１＊＊＊  ＊＊＊＊  ＊＊＊＊  ＊＊＊＊  ＊＊＊＊  ＊＊＊＊  ＊＊＊＊  ＊＊＊＊”の値が設定されている場合の方がオール”０”に設定されている場合に比べて、時刻Ｔｕｗまでにユニークワードを誤検出する確率は１／（２のｋ乗）だけ小さくなる。
【００２７】
このように本発明のユニークワード検出装置では、最初に送信されるユニークワードのビット値と論理否定の関係にある値を、シフトレジスタの初期値の最上位ビットに設定することにより、原理的にユニークワードと同数の受信データを受信し終わる前にユニークワードと同一のデータを比較器に出力することはない。つまり、本発明のユニークワード検出装置は、図４に示されたカウンタ４０５を用いることなく、従来のユニークワード検出装置と同様の効果を得ている。
【００２８】
以上のように、第１の実施形態のユニークワード検出装置は、あらかじめ受信されるタイミングが不明なフレームデータに付加されたユニークワードを高速に検出する際に、カウンタを用いることなくユニークワードの誤検出を防いでおり、窓信号を発生させるためのカウンタあるいはレベル検出器が不要となる分だけ従来のユニークワード検出装置より回路規模が小さくなり、より安価なユニークワード検出装置を提供することが可能となる。
【００２９】
（第２の実施形態）
第１の実施形態では、ユニークワードの検出を示すＵＷ検出信号を出力するための条件として、パラレル受信データと検出すべきユニークワードとのビットパターンが全て一致することを用いていた。第２の実施形態では、ＵＷ検出信号を出力するための条件として、パラレル受信データのビットパターンが検出すべきユニークワードのビットパターンと異なる場合でも、その異なるビットの数が所定の数以下であればパラレル受信データのビットパターンと、検出すべきユニークワードのビットパターンが一致したとして、ＵＷ検出信号を出力する場合について図３を用いながら説明する。
【００３０】
図３において、ユニークワード検出装置は、シフトレジスタ１０１と、ユニークワードレジスタ１０３と、比較器３０１と、ユニークワード判定部３０２（図面上、ＵＷ判定部と記す）と、誤り許容係数レジスタ３０３とを含む。なお、図３において、図１に示したものと同一の部分に関しては、図１と同一番号を割り当てている。
【００３１】
今、ＵＷ検出信号の出力条件として検出すべきユニークワードに対するパラレル受信データの誤りビット数がｉビット（ここで、ｉは１以上、かつ、検出すべきユニークワードのビット数未満である整数）以下であれば良いとする。このｉの値が誤り許容係数レジスタ３０３に格納されている。
【００３２】
図３の動作は、あらかじめ初期値がＬＯＡＤ信号により定められた値に設定されたシフトレジスタ１０１に受信データを受信データクロックに同期して順次格納し、パラレル受信データとしてシフトレジスタ１０１より出力するまでの動作は第１の実施形態と同様である。比較器３０１は、シフトレジスタ１０１から出力されたパラレル受信データのビットパターンと、検出すべきユニークワードのビットパターンが格納されたユニークワードレジスタ１０３から出力されるユニークワードのビットパターンとの各ビット値とを比較し、検出すべきユニークワードのビットパターンに対するパラレル受信データのビットパターンの誤りビット数をユニークワード判定部３０２に出力する。ユニークワード判定部３０２は、比較器３０１から出力された誤りビット数の他に、パラレル受信データの最上位ビット（図面上、ＭＳＢと記す）と、誤り許容係数レジスタ３０３から出力される誤り許容係数（値ｉ）を示す誤り許容係数信号を入力信号としている。ユニークワード判定部３０２は、この誤り許容係数信号が示す値ｉと、比較器３０１から出力された誤りビット数とを比較し、誤りビット数がｉ以下であり、かつ、シフトレジスタ１０１から出力されるパラレル受信データの最上位ビットの値が初期値から別の値に更新されていた場合、ユニークワードを検出したと判断してＵＷ検出信号を出力する。
【００３３】
ここで、パラレル受信データの最上位ビット値の更新を検出する方法について記す。まずシフトレジスタ１０１の初期値として、最初に送信されるユニークワードのビット値と論理否定の関係にある値を最下位ビットに設定し、それ以外の全ての値を、その最下位ビットとは論理否定関係にある値に設定する。ユニークワードＵＷ１を検出する場合には、ユニークワードＵＷ１は送信される順番に“０１１０  １１１１  ００００  １００１  １００１  １０１０  １１１１  ００００”なるビットパターンを持つので、シフトレジスタ１０１の初期値は、“００００  ００００  ００００  ００００  ００００  ００００  ００００  ０００１”なるビットパターンを持つ値に設定されている。初期値をこのような値に設定することにより、例えば、図７に示したような、受信データクロックに同期して動作するフリップフロップ８０１と、ＥＸ−ＯＲ回路８０２とからなる回路の出力信号の値の変化を用いて、パラレル受信データの最上位ビット値の更新を検出することができる。
【００３４】
以下に、ユニークワード判定部３０２の動作を詳細に記す。今、誤り許容係数信号の値であるｉが２に設定されているものとし、第１の実施形態での説明の際に用いたユニークワードＵＷ１の検出に、本実施形態のユニークワード検出装置を適用した場合を考える。移動局７０２が受信を開始した直後の受信データとしてユニークワードＵＷ１と最初の１ビットだけ異なる類似した３０ビットの受信データ“１０  １１１１  ００００  １００１  １００１  １０１０  １１１１  ００００”がシフトレジスタ１０１に入力されると、パラレル受信データは、“０１１０  １１１１  ００００  １００１  １００１  １０１０  １１１１  ００００”なる値となりユニークワードＵＷ１と一致した信号となる。その結果、誤りビット数は、誤りビット許容係数が示す値である２以下の値である０となる。しかし、パラレル受信データの最上位ビットの値が初期値である０から更新されていない。ユニークワードＵＷ１を誤り無く受信した場合には、パラレル受信データは一旦“１  ０１１０  １１１１  ００００  １００１  １００１  １０１０  １１１１  ０００”なる値が出力され、図７の回路からの１が出力された後、その次の受信データがシフトレジスタ１０１に入力された時点で誤りビット数が０なる値を取る。従って、図７の回路から１が出力される以前の誤りビット数＝０は明らかに、３２ビットの受信データを受信していないので、ユニークワード判定部３０２はユニークワード未検出として、ＵＷ検出信号を出力しない。
【００３５】
このように、パラレル受信データの最上位ビットの値が更新されていない場合、これは、ユニークワードＵＷ１のビット数である３２ビットのデータを受信していないことを意味するので、パラレル受信データの最上位ビットの値が更新されるまでは、ユニークワード判定部３０２は、たとえ誤りビット数が誤り許容係数以下の値になっていたとしてもユニークワード未検出と判定し、ＵＷ検出信号を出力しない。したがって、本発明のユニークワード検出装置は、Ｔｕｗまでに検出されるユニークワードの誤検出を防ぐことができる。
【００３６】
このように、本発明の第２の実施形態に係るユニークワード検出装置を用いれば、あらかじめ受信されるタイミングが不明なフレームデータに付加されたユニークワードを高速に検出するための条件として、１以上、かつ、検出すべきユニークワードのビット数未満である整数で表される値までのビット誤りを許可する条件を有する場合にも、窓信号を発生させるためのカウンタあるいはレベル検出器を用いる代わりに、１つのフリップフロップと１つのＥＸ−ＯＲ回路を用いることにより、ユニークワードの誤検出を防ぐことができる。カウンタと、１つのリップフロップと１つのＥＸ−ＯＲ回路との回路規模の差は、カウンタのビット幅が大きくなればなるほど大きくなる。そのため、カウンタを必要としない本発明のユニークワード検出装置は、検出すべきユニークワードのビット数が多くなればなるほど、従来のユニークワード検出装置より回路規模が小さくなり、より安価に提供することが可能となる。
【産業上の利用可能性】
【００３７】
本発明に係るユニークワード検出装置は、安価に提供することができ、ＴＤＭＡ等を用いたフレーム同期を必要とする通信システムの分野に有用である。
【図面の簡単な説明】
【００３８】
【図１】本発明の第１の実施形態に係るユニークワード検出装置の構成を示すブロック図
【図２】シフトレジスタ１０１の動作概略を示す図
【図３】本発明の第２の実施形態に係るユニークワード検出装置の構成を示すブロック図
【図４】従来のユニークワード検出装置の構成を示すブロック図
【図５】ＵＷ一致信号とＵＷタイミング信号とＵＷ検出信号とのタイミング関係を示す図
【図６】基地局と移動局とが通信を行っている様子を示す図
【図７】パラレル受信データの最上位ビットの値の更新を検出するための回路構成の一例を示す図
【符号の説明】
【００３９】
１０１  シフトレジスタ
１０２  比較器
１０３、４０３  ユニークワードレジスタ
３０１  誤り許容レジスタ
３０２、４０２  ユニークワード判定部
３０３  誤り許容係数レジスタ
４０１  シリアル−パラレル変換器
４０４  ウィンドウ制御部
４０５  カウンタ
７０１  基地局
７０２  移動局
８０１  フリップフロップ
８０２  ＥＸ−ＯＲ回路
【図１】
2005269062.tif 000003
【図２】
2005269062.tif 000004
【図３】
2005269062.tif 000005
【図４】
2005269062.tif 000006
【図５】
2005269062.tif 000007
【図６】
2005269062.tif 000008
【図７】
2005269062.tif 000009